(57)【要約】【課題】      作動軸と切換操作部材の固定部をリ−ル本体内部に納めて折損等の防止と製造コストの低減と作業性の向上を図った魚釣用スピニングリ−ルを提供することである。【解決手段】  ボディ１′の底部１ｆとボディカバ−１″の底部１ｇに跨って凹部αが形成され、凹部αは内側に形成された傾斜面１ｈ、１ｉとそれより深い凹部１ｊ、１ｋで構成され、ボディ１′の前部１ｃの前側から穿設された貫通孔１ｅの後側は凹部１ｊ、１ｋに連接されて貫通孔１ｅには前部１ｃの前側からカム２０が一体的に固定された作動軸７が挿入されて作動軸７は長さの略中間にクリック部７ａが形成され、後側に非円形外周部７ｂが形成され、端部７ｃの前側に外周溝７ｄが形成されて作動軸７の非円形外周部７ｂには切換操作部材８の基部８ａの非円形内周部８ｂが嵌合されて外周溝７ｄに嵌められた止め輪２１で抜け止めされている。【選択図】        図２
2007082405.tif 000002
【特許請求の範囲】
【請求項１】
リ−ル本体に設けたハンドルの操作で連動回転するロ−タに回転抵抗力を付与する抵抗力付与機構を備え、該抵抗力付与機構に連結する作動軸の端部に設けた切換操作部材の回転操作で前記ロ−タの回転状態を切換制御可能とした魚釣用スピニングリ−ルにおいて、前記リ−ル本体に形成した凹部内に前記切換操作部材の基部を収容配置したことを特徴とする魚釣用スピニングリ−ル。
【請求項２】
前記作動軸の端部に回り止め嵌合する前記切換操作部材を、該作動軸の外周溝に係合する止め輪で抜け止め係止したことを特徴とする請求項１記載の魚釣用スピニングリ−ル。
【請求項３】
リ−ル本体に設けたハンドルの操作で連動回転するロ−タに回転抵抗力を付与する抵抗力付与機構を備え、該抵抗力付与機構に連結する作動軸の端部に設けた切換操作部材の回転操作で前記ロ−タの回転状態を切換制御可能とした魚釣用スピニングリ−ルにおいて、前記作動軸の端部に回り止め嵌合する前記切換操作部材を、該作動軸の外周溝に係合する止め輪で抜け止め係止したことを特徴とする魚釣用スピニングリ−ル。
【請求項４】
前記作動軸の切換操作部材が装着される軸方向外周部に、円形外周部と非円形外周部とを併設したことを特徴とする請求項２又は３記載の魚釣用スピニングリ−ル。
【発明の詳細な説明】
【技術分野】
【０００１】
本発明は、魚釣用スピニングリ−ルにおいて、ハンドルの回転操作で連動回転するロ−タに回転状態を切換制御する切換機構の改良に関するものである。
【背景技術】
【０００２】
従来ハンドルの回転操作で連動回転するロ−タは、特許文献１又は特許文献２に知られるように、リ−ル本体の外部に切換操作可能に設けられたレバ−状の操作部材の回転操作で、ロ−タの回転に付与される制動力を強弱に切り換えたり、或は、ロ−タの逆転防止状態又は逆転可能状態に切換可能に構成されている。
【特許文献１】実公昭５５−３２４６３号公報
【特許文献２】実公昭５５−３９９７６号公報
【発明の開示】
【発明が解決しようとする課題】
【０００３】
解決しようとする問題点は、特許文献１、特許文献２に開示されているレバ−状の操作部材は、リ−ル本体内部に設けた制動機構や逆転防止機構を切換制御する作動軸の端部に回り止め嵌合されて端部に螺合するネジで抜け止め固定されている。
ネジで固定される作動軸の外端部と操作部材基部の固定部は、実釣時の釣場において外力が加わると、特に、ネジで締結固定されている固定部（作動軸の端部や操作部材の基部）は、作動軸や操作部材の小スペ−ス部分に締め付け応力が作用しているので折損し易い。
又、リ−ル本体の外表面から外方に突出されているので更に折損の危険性が高い。
更に、固定手段としてネジ加工およびネジが必要となるので、製造コストが高くなる。
【０００４】
本発明の目的は前記欠点に鑑み、作動軸と切換操作部材の固定部をリ−ル本体内部に納めて折損等の防止と製造コストの低減と作業性の向上を図った魚釣用スピニングリ−ルを提供することである。
【課題を解決するための手段】
【０００５】
本発明の請求項１は、リ−ル本体に設けたハンドルの操作で連動回転するロ−タに回転抵抗力を付与する抵抗力付与機構を備え、該抵抗力付与機構に連結する作動軸の端部に設けた切換操作部材の回転操作で前記ロ−タの回転状態を切換制御可能とした魚釣用スピニングリ−ルにおいて、前記リ−ル本体に形成した凹部内に前記切換操作部材の基部を収容配置したことを要旨とするものである。
本発明の請求項２は、前記作動軸の端部に回り止め嵌合する前記切換操作部材を、該作動軸の外周溝に係合する止め輪で抜け止め係止したことを要旨とするものである。
本発明の請求項３は、リ−ル本体に設けたハンドルの操作で連動回転するロ−タに回転抵抗力を付与する抵抗力付与機構を備え、該抵抗力付与機構に連結する作動軸の端部に設けた切換操作部材の回転操作で前記ロ−タの回転状態を切換制御可能とした魚釣用スピニングリ−ルにおいて、前記作動軸の端部に回り止め嵌合する前記切換操作部材を、該作動軸の外周溝に係合する止め輪で抜け止め係止したことを要旨とするものである。
本発明の請求項４は、前記作動軸の切換操作部材が装着される軸方向外周部に、円形外周部と非円形外周部とを併設したことを要旨とするものである。
【発明の効果】
【０００６】
本発明の請求項１によれば、作動軸の端部が回り止め嵌合されて止め輪で抜け止めされる回り止め固定部である切換操作部材の基部を、リ−ル本体の外表面から突出しないように凹部内に収容配置する構成としたので、実用時の不用意な外力による折損を確実に防止できると共に外観上もスッキリとコンパクトに構成出来る。
本発明の請求項２によれば、作動軸に切換操作部材の固定手段としてネジ加工およびネジが不要となるので、製造コストが低減できる。
又、凹部と切換操作部材の基部の寸法設定により、作動軸の端部の径方向に直交する方向からの作業で切換操作部材の抜け止め固定が可能となるので、組み込み順の制約もなくなり、作業性が向上する。
本発明の請求項３によれば、作動軸と切換操作部材の基部の回り止め小スペ−ス部分における固定手段として、内部応力影響の少ない止め輪による係止手段を採用したので、切換操作の繰り返しや外力作用によって、固定部の折損や結合の緩み発生を確実に防止でき、実釣時において安定した切換操作を維持できる。
又、固定手段としてネジ加工及びネジが不要となるので、製造コストが低減できる。
本発明の請求項４によれば、作動軸に対する切換操作部材の取り付け精度が向上（しっくり嵌合して）するので、切換操作部材のガタ付きが確実に防止できる。
【発明を実施するための最良の形態】
【０００７】
ボディ１′の一側開口１ａの下側位置のボディ１′の底部１ｆとボディカバ−１″の底部１ｇに跨って凹部αが形成され、凹部αは底部１ｆと底部１ｇから内側に形成された傾斜面１ｈ、１ｉとそれより深い凹部１ｊ、１ｋで構成されている。
ボディ１′の前部１ｃの前側から穿設された貫通孔１ｅの後側は凹部１ｊ、１ｋに連接されている。
貫通孔１ｅには前部１ｃの前側からカム２０が一体的に固定された作動軸７が挿入される。
作動軸７は長さの略中間にクリック部７ａが形成され、後側に非円形外周部７ｂが形成され、端部７ｃの前側に外周溝７ｄが形成されている。
作動軸７の非円形外周部７ｂには、切換操作部材８の基部８ａに形成された非円形内周部８ｂが嵌合されて外周溝７ｄに嵌められた止め輪２１で抜け止めされている。
切換操作部材８には切換操作ツマミ８ｃが形成されている。
作動軸７のクリック部７ａが位置するボディ１′には凹部１ｍが形成されてクリックバネ２２が挿入され、凹部１ｍはボディカバ−１″で閉塞される。
【実施例１】
【０００８】
以下、図示の実施例によって本発明を説明すると、図１から図１０は第１実施例で、図１は魚釣用スピニングリ−ルの要部断面側面図、図２はリ−ル本体の要部拡大断面側面図、図３はロ−タとスプ−ルを断面にした要部断面正面図、図４は図３の要部拡大断面正面図、図５は魚釣用スピニングリ−ルのリ−ル本体の底面図、図６は切換操作部材の操作ツマミが中立位置のリ−ル本体の拡大底面図、図７は切換操作部材の操作ツマミがＯＮ位置のリ−ル本体の拡大底面図、図８は切換操作部材の操作ツマミがＯＦＦ位置のリ−ル本体の拡大底面図、図９はリ−ル本体の前部の軸受より後側を縦断面で示した要部断面正面図、図１０は図９の要部拡大断面正面図である。
【０００９】
魚釣用スピニングリ−ルは、リ−ル本体１は箱形のボディ１′とボディカバ−１″で構成され、ボディ１′の一側開口１ａがボディカバ−１″で閉塞されている。
ボディ１′の上部には脚部１ｂが形成されている。
ボディ１′とボディカバ−１″で保持された図示しない軸受で駆動歯車２の駆動軸２ａが軸承されてハンドル１０で駆動回転される。
ボディ１′の前部１ｃ内の軸受１１とボディ１′内の軸受部１ｄに保持された軸受１２で回転軸筒３が回転自在に支持されている。
軸受１２で回転軸筒３の基端が嵌合支持され、基端の前側に一体的にピニオン３ａが形成されて駆動歯車２に噛合されている。
回転軸筒３の軸受１１より前側に逆転防止爪車１３が回り止め嵌合され、逆転防止爪車１３の前側の回転軸筒３にロ−タ４の中心軸筒４ａが回り止め嵌合されてナット１４で取り付けられている。
【００１０】
回転軸筒３の中心透孔には前側にスプ−ル５が取り付けられたスプ−ル軸１５が前後往復動可能に摺動自在に挿入されている。
スプ−ル５は前側鍔部５ａと図示しない釣糸が巻回される釣糸巻回胴部５ｂと円筒部５ｃを備えた後側鍔部５ｄとで形成されている。
スプ−ル軸１５の後端に摺動体６がビス１６で取り付けられている。
リ−ル本体１内の側壁面に軸筒からなる支持部が形成されて伝達歯車１７が軸承されて伝達歯車１７は駆動軸２ａ外周に形成された歯車２ｂに噛合されている。
伝達歯車１７にはピン１８が植設されてピン１８は摺動体６のクランク形の孔６ａに挿入されてスプ−ル軸１５の前後往復動機構が構成されている。
【００１１】
図１から図４のように逆転防止爪車１３には係止爪１９が係止可能に臨まされ、係止爪１９はカム２０で逆転防止爪車１３に係止される位置と離脱される位置に切り換えられ、ロ−タ４の正・逆回転を制御してロ−タ４に回転抵抗力を付与する抵抗力付与機構が構成されている。
カム２０はボディ１′の前部１ｃの下側に穿設された貫通孔１ｅに挿入された作動軸７の先端に一体的に固定されている。
カム２０を介して作動軸７は抵抗力付与機構に連結されている。
【００１２】
図１、図２、図５から図８のようにボディ１′の一側開口１ａの下側位置のボディ１′の底部１ｆとボディカバ−１″の底部１ｇに跨って凹部αが形成されている。
凹部αは底部１ｆと底部１ｇから内側に形成された傾斜面１ｈ、１ｉとそれより深い凹部１ｊ、１ｋで構成されている。
ボディ１′の前部１ｃの前側から穿設された貫通孔１ｅの後側は凹部１ｊ、１ｋに連接されている。
貫通孔１ｅには前部１ｃの前側からカム２０が一体的に固定された作動軸７が挿入される。
作動軸７は長さの略中間にクリック部７ａが形成され、後側に非円形外周部７ｂが形成され、端部７ｃの前側に外周溝７ｄが形成されている。
作動軸７の非円形外周部７ｂには切換操作部材８の基部８ａの非円形内周部８ｂが嵌合されて外周溝７ｄに嵌められた止め輪２１で抜け止めされている。
切換操作部材８には切換操作ツマミ８ｃが形成されている。
図１、図２、図９、図１０のように作動軸７のクリック部７ａが位置するボディ１′には凹部１ｍが形成されてクリックバネ２２が挿入され、凹部１ｍはボディカバ−１″で閉塞される。
【００１３】
ロ−タ４は中心軸筒４ａで回転軸筒３に取り付けられ、中心軸筒４ａと前壁４ｂと大径の筒部４ｃと大径の筒部４ｃの基部４ｄ、４ｅの外周から前方に向けて突出された一対の支持腕４ｆ、４ｇとで形成されている。
一対のベ−ル支持腕４ｆ、４ｇの先端部外側に一方のベ−ル支持部材２３と他方のベ−ル支持部材２４がビスで釣糸巻取位置と釣糸放出位置に反転自在に軸承されている。
【００１４】
前記魚釣用スピニングリ−ルの動作は、切換操作部材８の切換操作ツマミ８ｃが図７のＯＮ位置にあると、逆転防止爪車１３に係止爪１９が係止されて時計方向の正回転は可能で、逆回転は不可になる。
切換操作部材８の切換操作ツマミ８ｃが図８のＯＦＦ位置にあると、逆転防止爪車１３に係止爪１９の係止が解除されて正回転／逆回転が可能になる。
一方のベ−ル支持部材２３と他方のベ−ル支持部材２４が釣糸巻取位置にあって図示しなし釣糸がスプ−ル５に巻回される方向にハンドル１０が回転されると、駆動歯車２が回転されてピニオン３ａを介して回転軸筒３とロ−タ４が正回転される。
駆動軸２ａが回転されると、歯車２ｂが回転され、伝達歯車１７が回転される。
伝達歯車１７の回転運動が摺動体６の直線往復動に変換されてスプ−ル軸１５とスプ−ル５が前後方向に直線往復動される。
【００１５】
前記のように魚釣用スピニングリ−ルが構成されると、作動軸７の端部７ｃが回り止め嵌合されて止め輪２１で抜け止め係止される回り止め固定部である切換操作部材８の基部８ａを、リ−ル本体１の外表面から突出しないように凹部α内に収容配置する構成としたので、実用時の不用意な外力による折損を確実に防止できると共に外観上もスッキリとコンパクトに構成出来る。
作動軸７に切換操作部材８の固定手段としてネジ加工およびネジが不要となるので、製造コストが低減できる。
又、凹部αと切換操作部材８の基部８ａの寸法設定により、作動軸７の端部の径方向に直交する方向からの作業で切換操作部材８の抜け止め固定が可能となるので、組み込み順の制約もなくなり、作業性が向上する。
作動軸７と切換操作部材８の基部８ａの回り止め小スペ−ス部分における固定手段として、内部応力影響の少ない止め輪２１による係止手段を採用したので、切換操作の繰り返しや外力作用によって、固定部の折損や結合の緩み発生を確実に防止でき、実釣時において安定した切換操作を維持できる。
又、固定手段としてネジ加工及びネジが不要となるので、製造コストが低減できる。
前記説明では、ロ−タ４に回転抵抗力を付与する抵抗力付与機構を、逆転防止爪車１３に係止爪１９を係止してロ−タ４の正・逆回転を制御する構成で述べたが、ロ−タ４に摩擦部材を摺接／離間して回転抵抗力を付与する抵抗力付与機構の切り換えにカム２０を介して作動軸７を連結するように構成してもよい。
【実施例２】
【００１６】
図１１、図１２は作動軸と切換操作部材の第２実施例で、図１１は魚釣用スピニングリ−ルの要部断面側面図、図１２は作動軸に切換操作部材が取り付けられた背面図である。
【００１７】
作動軸と切換操作部材の第２実施例では、作動軸７の軸方向に円形外周部７ｅと非円形外周部７ｆが並設形成され、非円形外周部７ｆは第１実施例の非円形外周部７ｂより軸方向長が短く形成されている。
切換操作部材８の基部８ａの中心には円形内周部８ｄと非円形内周部８ｅが形成されている。
他の構成は前記第１実施例と略同一である。
切換操作部材８の円形内周部８ｄは、作動軸７の円形外周部７ｅに緩く圧入嵌合するように形成することが好ましい。
【００１８】
作動軸と切換操作部材が第２実施例のように構成されると、作動軸７に対する切換操作部材８の取り付け精度が向上（しっくり嵌合して）するので、切換操作部材８のガタ付きが確実に防止できる。
【産業上の利用可能性】
【００１９】
なお、本発明は、前述した実施形態に限定されることなく、その要旨を逸脱しない範囲で種々変形実施できることは言うまでもない。
【図面の簡単な説明】
【００２０】
【図１】第１実施例で、魚釣用スピニングリ−ルの要部断面側面図である。
【図２】同リ−ル本体の要部拡大断面側面図である。
【図３】同ロ−タとスプ−ルを断面にした要部断面正面図である。
【図４】同図３の要部拡大断面正面図である。
【図５】同魚釣用スピニングリ−ルのリ−ル本体の底面図である。
【図６】同切換操作部材の操作ツマミが中立位置のリ−ル本体の拡大底面図である。
【図７】同切換操作部材の操作ツマミがＯＮ位置のリ−ル本体の拡大底面図である。
【図８】同切換操作部材の操作ツマミがＯＦＦ位置のリ−ル本体の拡大底面図である。
【図９】同リ−ル本体の前部の軸受より後側を縦断面で示した要部断面正面図である。
【図１０】同図９の要部拡大断面正面図である。
【図１１】作動軸と切換操作部材の第２実施例で、魚釣用スピニングリ−ルの要部断面側面図である。
【図１２】同作動軸に切換操作部材が取り付けられた背面図である。
【符号の説明】
【００２１】
１  リ−ル本体
４  ロ−タ
７  作動軸
７ｂ、７ｆ  非円形外周部
７ｃ  端部
７ｄ  外周溝
７ｅ  円形外周部
８  切換操作部材
８ａ  基部
１０  ハンドル
２１  止め輪
【図１】
2007082405.tif 000003
【図２】
2007082405.tif 000004
【図３】
2007082405.tif 000005
【図４】
2007082405.tif 000006
【図５】
2007082405.tif 000007
【図６】
2007082405.tif 000008
【図７】
2007082405.tif 000009
【図８】
2007082405.tif 000010
【図９】
2007082405.tif 000011
【図１０】
2007082405.tif 000012
【図１１】
2007082405.tif 000013
【図１２】
2007082405.tif 000014